(57)【要約】【課題】カードの利用促進を図ること。【解決手段】一意に定められたカードのＩＤ情報の一例としてのクレジットカード番号と、当該カードの所有者に関する所有者情報とを関連付けして格納するカード情報データベース４００と、クレジットカード番号とクレジットカードの利用履歴情報とを関連付けして格納する利用履歴情報データベース５００とにネットワークによって接続され、クレジットカード番号を含む名刺印刷要求情報の入力を受け付けた場合には、入力されたクレジットカード番号に関連付けられた所有者情報をカード情報データベース４００から抽出するとともに、クレジットカード番号に関連付けられた利用履歴情報を利用履歴情報データベース５００から抽出し、抽出された所有者情報および利用履歴情報に基づいて、所定のサイズの用紙に印刷する印刷内容を決定し、決定された印刷内容を用紙に所定枚数印刷するようにした。【選択図】図１０
2010033140.tif 000002
【特許請求の範囲】
【請求項１】
一意に定められたカードのＩＤ情報と、当該カードの所有者に関する所有者情報とを関連付けして格納するカード情報データベースと、
前記カードのＩＤ情報と、当該カードの利用履歴情報とを関連付けして格納する利用履歴情報データベースと、
を備え、または、前記カード情報データベースおよび前記利用履歴情報データベースとネットワークによって接続され、
前記カードのＩＤ情報を含む名刺印刷要求情報の入力を受け付ける名刺印刷要求情報入力手段と、
前記名刺印刷要求情報入力手段によって入力された前記カードのＩＤ情報に関連付けられた前記所有者情報を前記カード情報データベースから抽出するとともに、前記カードのＩＤ情報に関連付けられた利用履歴情報を前記利用履歴情報データベースから抽出する抽出手段と、
前記抽出手段によって抽出された前記所有者情報および前記利用履歴情報に基づいて、所定のサイズの用紙に印刷する印刷内容を決定する印刷内容決定手段と、
前記印刷内容決定手段によって決定された印刷内容を前記用紙に所定枚数印刷する印刷手段と、
を備えたことを特徴とする名刺作成装置。
【請求項２】
さらに、前記カードのＩＤ情報と、当該カードの所有者に対する特典情報とを関連付けして格納する特典情報データベースを備え、または前記特典情報データベースとネットワークで接続され、
前記抽出手段は、前記名刺印刷要求情報入力手段によって入力された前記カードのＩＤ情報に関連付けられた前記特典情報を前記特典情報データベースから抽出し、
前記印刷内容決定手段は、さらに前記抽出手段によって抽出された特典情報に基づいて、所定のサイズの用紙に印刷する印刷内容を決定することを特徴とする請求項１に記載の名刺作成装置。
【請求項３】
前記印刷内容決定手段によって決定された印刷内容を表示する表示手段と、
前記表示手段によって表示された印刷内容の編集指示の入力を受け付ける編集指示入力手段と、
前記編集指示入力手段によって入力された編集指示に基づいて、前記印刷内容を変更する変更手段と、
を備え、
前記印刷手段は、前記変更手段によって変更された印刷内容を前記用紙に所定枚数印刷することを特徴とする請求項１または２に記載の名刺作成装置。
【請求項４】
一意に定められたカードのＩＤ情報と、当該カードの所有者に関する所有者情報とを関連付けして格納するカード情報データベースと、
前記カードのＩＤ情報と、当該カードの利用履歴情報とを関連付けして格納する利用履歴情報データベースと、
を備え、または、前記カード情報データベースおよび前記利用履歴情報データベースとネットワークによって接続され、
名刺印刷要求情報入力手段と、抽出手段と、印刷内容決定手段と、印刷手段と、を備えた名刺作成装置が実行する名刺作成方法であって、
前記名刺印刷要求情報入力手段が、前記カードのＩＤ情報を含む名刺印刷要求情報の入力を受け付ける名刺印刷要求情報入力工程と、
前記抽出手段が、前記名刺印刷要求情報入力工程によって入力された前記カードのＩＤ情報に関連付けられた前記所有者情報を前記カード情報データベースから抽出するとともに、前記カードのＩＤ情報に関連付けられた利用履歴情報を前記利用履歴情報データベースから抽出する抽出工程と、
前記印刷内容決定手段が、前記抽出工程によって抽出された前記所有者情報および前記利用履歴情報に基づいて、所定のサイズの用紙に印刷する印刷内容を決定する印刷内容決定工程と、
前記印刷手段が、前記印刷内容決定工程によって決定された印刷内容を前記用紙に所定枚数印刷する印刷工程と、
を含んだことを特徴とする名刺作成方法。
【請求項５】
一意に定められたカードのＩＤ情報と、当該カードの所有者に関する所有者情報とを関連付けして格納するカード情報データベースと、
前記カードのＩＤ情報と、当該カードの利用履歴情報とを関連付けして格納する利用履歴情報データベースと、
を備え、または、前記カード情報データベースおよび前記利用履歴情報データベースとネットワークによって接続され、
名刺印刷要求情報入力手段と、抽出手段と、印刷内容決定手段と、印刷手段と、を備えた名刺作成装置に実行させる名刺作成プログラムであって、
前記名刺印刷要求情報入力手段に、前記カードのＩＤ情報を含む名刺印刷要求情報の入力を受け付けさせる名刺印刷要求情報入力工程と、
前記抽出手段に、前記名刺印刷要求情報入力工程によって入力された前記カードのＩＤ情報に関連付けられた前記所有者情報を前記カード情報データベースから抽出させるとともに、前記カードのＩＤ情報に関連付けられた利用履歴情報を前記利用履歴情報データベースから抽出させる抽出工程と、
前記印刷内容決定手段に、前記抽出工程によって抽出された前記所有者情報および前記利用履歴情報に基づいて、所定のサイズの用紙に印刷する印刷内容を決定させる印刷内容決定工程と、
前記印刷手段に、前記印刷内容決定工程によって決定された印刷内容を前記用紙に所定枚数印刷させる印刷工程と、
を実行させることを特徴とする名刺作成プログラム。
【発明の詳細な説明】
【技術分野】
【０００１】
この発明は、クレジットカードの利用者に提供するサービスとして、クレジットカードの利用履歴情報を含む名刺を作成する名刺作成装置、名刺作成方法および名刺作成プログラムに関する。
【背景技術】
【０００２】
近年、たとえばクレジットカードを利用した決済の金額に応じてポイントを発行するようにしたサービスがある。発行されたポイントは、商品、サービスなどに交換することができる。このように、クレジットカードの利用に対してポイントを発行するというサービスにより、クレジットカードの利用促進を図るようにしている。従来、たとえばクレジットカード 会社や各店舗運営者が利用 実績に応じて顧客会員に発行するポイントに対して、顧客会員が利用しやすい態様で獲得ポイントを行使できるようにしたポイント管理システムがあった（たとえば、下記特許文献１を参照）。
【０００３】
【特許文献１】特開２００２−２９７９９０号公報
【発明の開示】
【発明が解決しようとする課題】
【０００４】
しかしながら、上述した従来の技術では、カード決済は、カード決済端末とクレジット会社との間での通信に時間がかかったり、利用者のサインが求められるなど、現金での決済と比較して煩わしいと判断される要素を含んでいるため、少額の飲食や少額の買い物に際してはカード決済をおこなわず現金での決済を選択する利用者も少なくないのが現状である。通信速度の向上やサインレスでのカード決済の導入などによって、上記のような煩わしいと判断される要素を払拭する対策がなされているが、カードの十分な利用促進が図られていないという問題があった。
【０００５】
また、自己紹介の一つの手段として、ビジネスとは別に名刺を作成し、作成した名刺を交換したり、あるいは収集したりして交遊の機会を広げようとする流行が、若者を中心として広まりつつある。その際、名刺に記載する内容や名刺のデザインは、各個人が独自に考えることが多い。記載する内容として、カードの利用履歴を用いることで、より簡易に内容を決定することができ、かつ、各個人の趣味嗜好をより直接的に表現することができ、新たな流行のきっかけをつくる要因ともなり得る。
【０００６】
この発明は、上述した従来技術による問題点を解消するため、カードの利用促進を図ることができる名刺作成装置、名刺作成方法および名刺作成プログラムを提供することを目的とする。
【課題を解決するための手段】
【０００７】
上述した課題を解決し、目的を達成するため、この発明にかかる名刺作成装置は、一意に定められたカードのＩＤ情報と、当該カードの所有者に関する所有者情報とを関連付けして格納するカード情報データベースと、前記カードのＩＤ情報と、当該カードの利用履歴情報とを関連付けして格納する利用履歴情報データベースと、を備え、または、前記カード情報データベースおよび前記利用履歴情報データベースとネットワークによって接続され、前記カードのＩＤ情報を含む名刺印刷要求情報の入力を受け付ける名刺印刷要求情報入力手段と、前記名刺印刷要求情報入力手段によって入力された前記カードのＩＤ情報に関連付けられた前記所有者情報を前記カード情報データベースから抽出するとともに、前記カードのＩＤ情報に関連付けられた利用履歴情報を前記利用履歴情報データベースから抽出する抽出手段と、前記抽出手段によって抽出された前記所有者情報および前記利用履歴情報に基づいて、所定のサイズの用紙に印刷する印刷内容を決定する印刷内容決定手段と、前記印刷内容決定手段によって決定された印刷内容を前記用紙に所定枚数印刷する印刷手段と、を備えたことを特徴とする。この発明によれば、名刺印刷要求情報の入力があった場合には、所有者および当該所有者のカードの利用履歴などの情報が印刷された用紙（名刺）を、所定枚数発行することができる。
【０００８】
また、この発明にかかる名刺作成装置は、上記の発明において、さらに、前記カードのＩＤ情報と、当該カードの所有者に対する特典情報とを関連付けして格納する特典情報データベースを備え、または前記特典情報データベースとネットワークで接続され、前記抽出手段が、前記名刺印刷要求情報入力手段によって入力された前記カードのＩＤ情報に関連付けられた前記特典情報を前記特典情報データベースから抽出し、前記印刷内容決定手段が、さらに前記抽出手段によって抽出された特典情報に基づいて、所定のサイズの用紙に印刷する印刷内容を決定することを特徴とする。この発明によれば、名刺印刷要求情報の入力があった場合には、所有者および当該所有者のカードの利用履歴などの情報に加えて、カードの所有者に対する特典情報が印刷された用紙（名刺）を、所定枚数発行することができる。
【０００９】
また、この発明にかかる名刺作成装置は、上記の発明において、前記印刷内容決定手段によって決定された印刷内容を表示する表示手段と、前記表示手段によって表示された印刷内容の編集指示の入力を受け付ける編集指示入力手段と、前記編集指示入力手段によって入力された編集指示に基づいて、前記印刷内容を変更する変更手段と、を備え、前記印刷手段は、前記変更手段によって変更された印刷内容を前記用紙に所定枚数印刷することを特徴とする。この発明によれば、名刺作成装置が決定した印刷内容を、カードの所有者などの名刺作成装置の操作者の任意の印刷内容に変更し、変更した印刷内容が印刷された用紙（名刺）を所定枚数発行することができる。
【００１０】
また、この発明にかかる名刺作成方法は、一意に定められたカードのＩＤ情報と、当該カードの所有者に関する所有者情報とを関連付けして格納するカード情報データベースと、前記カードのＩＤ情報と、当該カードの利用履歴情報とを関連付けして格納する利用履歴情報データベースと、を備え、または、前記カード情報データベースおよび前記利用履歴情報データベースとネットワークによって接続され、名刺印刷要求情報入力手段と、抽出手段と、印刷内容決定手段と、印刷手段と、を備えた名刺作成装置が実行する名刺作成方法であって、前記名刺印刷要求情報入力手段が、前記カードのＩＤ情報を含む名刺印刷要求情報の入力を受け付ける名刺印刷要求情報入力工程と、前記抽出手段が、前記名刺印刷要求情報入力工程によって入力された前記カードのＩＤ情報に関連付けられた前記所有者情報を前記カード情報データベースから抽出するとともに、前記カードのＩＤ情報に関連付けられた利用履歴情報を前記利用履歴情報データベースから抽出する抽出工程と、前記印刷内容決定手段が、前記抽出工程によって抽出された前記所有者情報および前記利用履歴情報に基づいて、所定のサイズの用紙に印刷する印刷内容を決定する印刷内容決定工程と、前記印刷手段が、前記印刷内容決定工程によって決定された印刷内容を前記用紙に所定枚数印刷する印刷工程と、を含んだことを特徴とする。この発明によれば、名刺印刷要求情報の入力があった場合には、所有者および当該所有者のカードの利用履歴などの情報が印刷された用紙（名刺）を、所定枚数発行することができる。
【００１１】
また、この発明にかかる名刺作成プログラムは、一意に定められたカードのＩＤ情報と、当該カードの所有者に関する所有者情報とを関連付けして格納するカード情報データベースと、前記カードのＩＤ情報と、当該カードの利用履歴情報とを関連付けして格納する利用履歴情報データベースと、を備え、または、前記カード情報データベースおよび前記利用履歴情報データベースとネットワークによって接続され、名刺印刷要求情報入力手段と、抽出手段と、印刷内容決定手段と、印刷手段と、を備えた名刺作成装置に実行させる名刺作成プログラムであって、前記名刺印刷要求情報入力手段に、前記カードのＩＤ情報を含む名刺印刷要求情報の入力を受け付けさせる名刺印刷要求情報入力工程と、前記抽出手段に、前記名刺印刷要求情報入力工程によって入力された前記カードのＩＤ情報に関連付けられた前記所有者情報を前記カード情報データベースから抽出させるとともに、前記カードのＩＤ情報に関連付けられた利用履歴情報を前記利用履歴情報データベースから抽出させる抽出工程と、前記印刷内容決定手段に、前記抽出工程によって抽出された前記所有者情報および前記利用履歴情報に基づいて、所定のサイズの用紙に印刷する印刷内容を決定させる印刷内容決定工程と、前記印刷手段に、前記印刷内容決定工程によって決定された印刷内容を前記用紙に所定枚数印刷させる印刷工程と、を実行させることを特徴とする。この発明によれば、名刺印刷要求情報の入力があった場合には、所有者および当該所有者のカードの利用履歴などの情報が印刷された用紙（名刺）を、所定枚数発行することができる。
【発明の効果】
【００１２】
この発明にかかる名刺作成装置、名刺作成方法および名刺作成プログラムによれば、カードを利用することによって名刺の発行が可能となるため、カードの利用促進を図ることができるという効果を奏する。カードの利用履歴はカードの所有者の趣味趣向を反映する傾向にあり、カードの利用履歴を印刷することによって実際の行動に即した所有者の趣味趣向を可視化することができる。可視化することによって所有者の趣味趣向が第三者に伝達しやしくなり、所有者は印刷物を新たなコミュニケーションツールとして利用して自己をアピールすることができ、店舗はカードの所有者を介して店舗の宣伝をおこなうことができる。
【発明を実施するための最良の形態】
【００１３】
以下に添付図面を参照して、この発明にかかる名刺作成装置、名刺作成方法および名刺作成プログラムの好適な実施の形態を詳細に説明する。
【００１４】
まず、この発明にかかる実施の形態の名刺作成システムについて説明する。図１−１および図１−２は、この発明にかかる実施の形態の名刺作成システムを示す説明図である。図１−１および図１−２において、この発明にかかる実施の形態の名刺作成システムは、名刺作成装置１１０と、利用履歴管理サーバ１２０と、決済履歴管理サーバ１３０と、を備えている。名刺作成装置１１０、利用履歴管理サーバ１２０および決済履歴管理サーバ１３０は、インターネットなどのネットワーク１４０を介して通信可能に接続されている。
【００１５】
名刺作成装置１１０は、決済に用いるカードの利用履歴を所定の記録媒体に印刷した印刷物（以下「利用履歴付き名刺」という）を発行する（図９−１および図９−２を参照）。所定の記録媒体は、たとえばカード状の所定の用紙であって、サイズは５５×９１ｍｍのいわゆる名刺サイズの用紙であることが好ましい。所定の記録媒体は、紙材料によって形成された用紙に限らず、たとえばプラスチック材料を用いて形成された薄板や板厚の薄い合板を用いてもよい。
【００１６】
決済に用いるカードは、たとえば商品購入やキャッシングなどの各種サービスを代金後払いで受けることができるカード、いわゆるクレジットカードとすることができる。またデビットカードや、電子マネーに用いられるカードであってもよい。名刺作成装置１１０は、カードの利用履歴すなわちクレジットカードを用いた決済（以下「カード決済」という）の履歴を示す情報を、当該カードの所有者に関する情報とともに印刷した利用履歴付き名刺を発行する。
【００１７】
名刺作成装置１１０は、クレジットカードの挿入を受け付けるカード挿入口１１１を備えている。カード挿入口１１１から挿入されたクレジットカードは、名刺作成装置１１０の筐体内部に設けられたカードリーダ（図３における符号３０８を参照）は、クレジットカードが記憶媒体として備えるＩＣチップに記憶されたクレジットカード番号などの情報を読み取る。名刺作成装置１１０は、非接触式ＩＣカードタイプのクレジットカードを読み取り対象として弱い電波を発するとともに、当該クレジットカードからの電波を受信する通信部１１２を備えていてもよい。
【００１８】
また、名刺作成装置１１０は、各種の情報を表示するディスプレイ３０４や、名刺作成装置１１０に対する各種操作を受け付ける操作部などを備えている。操作部としては、たとえばディスプレイ３０４に積層されたタッチパネル（図３における符号３０５を参照）などを用いることができる。さらに、名刺作成装置１１０は、プリンタ（図３における符号３０７を参照）が印刷した利用履歴付き名刺（図９−１における符号９１０、図９−２における符号９２０を参照）を発行する発行口１１３を備えている。
【００１９】
名刺作成装置１１０は、たとえば人が集まる場所や人通りが多い場所に設置することが好ましい。具体的には、たとえば駅構内やコンビニエンスストアなどに設置するとよい。また、名刺作成装置１１０は、たとえばカードを利用しやすい場所やカードが利用される機会の多い場所に設置することが好ましい。具体的には、たとえばカード決済が可能な店舗に設置するとよい。カード決済が可能な店舗に設置する場合、名刺作成装置１１０は、支払い（カード決済）をおこなう場所の周辺、あるいは、入店を待機する客の待機場所などに設置するとよい。さらに、名刺作成装置１１０は、たとえば何らかの目的の達成のために順番待ちなどの待機状態が発生しやすい場所に設置することが好ましい。具体的には、たとえば銀行や郵便局などの金融機関や、病院の待合室などに設置するとよい。
【００２０】
名刺作成装置１１０は、単独の装置として存在するものに限らず、たとえばネットワークに接続可能なＡＴＭやデジカメプリント装置、チケット出力装置などと兼用し、ＡＴＭやデジカメプリント装置が備える機能の一部として利用履歴付き名刺を発行してもよい。また、名刺作成装置１１０は、この実施の形態にかかる名刺発行システムに加盟するスーパーマーケットや飲食店などの店舗ごとに設置されたＰＯＳ端末、あるいはＣＡＴ端末などの信用照会端末機と兼用してもよい。
【００２１】
利用履歴管理サーバ１２０は、名刺作成装置１１０に対して所有者情報および利用履歴情報を送信する。所有者情報および利用履歴情報は、利用履歴付き名刺に印刷する印刷内容の抽出元となる。所有者情報は、カードの所有者１５０に関する情報であって、たとえばカードの所有者１５０の氏名、性別、生年月日、住所、連絡先（電話番号）など、所有者１５０に関する各種の情報とすることができる。また、所有者情報は、利用履歴付き名刺に印刷することを目的としたニックネーム情報などを含んでいてもよい。これによって利用者は、利用履歴付き名刺の利用用途に応じて、利用履歴付き名刺に本名とともに、あるいは本名に代えてニックネームを印刷することができる。
【００２２】
利用履歴管理サーバ１２０は、所有者情報を、カードのＩＤ情報に関連付けして格納するカード情報データベース（図４を参照）を備えている。カード情報データベースは、たとえば利用履歴管理サーバ１２０を実現するコンピュータ装置（図２を参照）が備える記憶装置１２１に設けられている。カードのＩＤ情報は、カードごとに一意に定められた情報であって、カードごとに固有の情報であるとともに利用者ごとに固有の情報とされていることが好ましい。カードのＩＤ情報は、たとえばクレジットカード番号とすることができる。
【００２３】
利用履歴管理サーバ１２０は、たとえばクレジット会社など、カード決済に用いるクレジットカードの発行元となる会社によって管理される。この場合、カードのＩＤ情報となるクレジットカード番号は、一人の利用者につき１つずつ付与されるため、カード情報データベースにおいては一人の利用者の所有者情報と１つのＩＤ情報とが１対１で関連付けられる。
【００２４】
所有者情報は、クレジットカードの種類にかかわらず、単一のカード情報データベースにおいて一元管理してもよい。所有者情報を一元管理する場合、たとえばクレジットカードの種類にかかわらずカードの利用履歴情報を管理する専用の管理会社によって利用履歴管理サーバ１２０を管理してもよい。この場合、一人の利用者がＩＤ情報の異なる複数種類のカードを所有することとなるため、カード情報データベースにおいては一人の利用者に対して複数のＩＤ情報が関連付けられる。
【００２５】
利用履歴情報は、カード決済の履歴すなわちカードの利用履歴を示す情報であって、カード決済に用いられる通常の決済履歴情報の一部あるいは通常の決済履歴情報に加えて、利用（購入）した商品／サービス名、当該商品／サービスの決済頻度／回数、当該商品／サービスの利用場所、などを示す情報を含んでいる。利用履歴情報は、利用した商品／サービスを提供する店舗の識別情報を含んでいる。これによって、カード決済をおこなった店舗を特定することができる。
【００２６】
店舗の識別情報は、カード決済可能な店舗を識別可能な情報であって、名刺発行システムの運営者などによって、名刺発行システムに属する店舗ごとにあらかじめ発行されている。店舗の識別情報は、クレジット会社などによって発行された任意の識別情報であってもよい。この場合、複数のクレジット会社で同じ識別情報を異なる店舗に使用していることがないように、各クレジット会社が発行した店舗の識別情報に、各クレジット会社を識別する識別情報を組み合わせた情報を、名刺発行システムにおける店舗の識別情報としてもよい。
【００２７】
利用履歴管理サーバ１２０は、利用履歴情報を、カードのＩＤ情報に関連付けして格納する利用履歴情報データベース（図５を参照）を備えている。利用履歴情報データベースは、たとえば利用履歴管理サーバ１２０を実現するコンピュータ装置が備える記憶装置１２１に設けられている。利用履歴情報データベースにおいて、利用履歴情報は、カードのＩＤ情報ごとに分類して記憶されている。
【００２８】
また、利用履歴管理サーバ１２０は、カードのＩＤ情報と当該カードの所有者に対する特典情報とを関連付けして格納する特典情報データベース（図７を参照）を備えている。特典情報データベースは、記憶装置１２１に設けられている。特典は所定の条件を満たす利用履歴があるカードの所有者が享受可能な商品あるいはサービスであって、特典を享受可能な状態であるか否かはカードの利用履歴に基づいてクレジット会社側によって適宜判断される。特典情報は、クレジット会社側によって特典を享受可能な状態であると判断された利用履歴のあるカードのＩＤ情報に関連付けて、クレジット会社側の手続き処理によって適宜記憶される。
【００２９】
カード情報データベース、利用履歴情報データベースおよび特典情報データベースは、同じ記憶装置１２１（あるいは記憶媒体）に記憶されているものに限らない。たとえばカード情報データベースが利用履歴管理サーバ１２０を構成するコンピュータ装置が一体的に備える記憶装置１２１に設けられ、当該コンピュータ装置に直接あるいはネットワークを介して接続された別のコンピュータ装置が備える記憶媒体に利用履歴情報データベースおよび特典情報データベースが設けられていてもよい。
【００３０】
あるいは、たとえば利用履歴管理サーバ１２０を構成するコンピュータ装置に直接あるいはネットワークを介して接続された別のコンピュータ装置が備える記憶媒体に特典情報データベースが設けられていて、利用履歴管理サーバ１２０を構成するコンピュータ装置が一体的に備える記憶装置１２１にカード情報データベースおよび利用履歴情報データベースが設けられていてもよい。
【００３１】
また、たとえばカード情報データベース、利用履歴情報データベースおよび特典情報データベースが、利用履歴管理サーバ１２０を構成するコンピュータ装置にネットワークによって接続された別々のコンピュータ装置が備える記憶媒体に、それぞれ設けられていてもよい。カード情報データベース、利用履歴情報データベースおよび特典情報データベースについては説明を後述する。
【００３２】
決済履歴管理サーバ１３０は、利用履歴管理サーバ１２０に対して、決済履歴情報を送信する。決済履歴情報は、利用履歴情報データベースが格納する利用履歴情報の抽出元となる情報であって、たとえばカード決済に用いられたカードの発行元、カードのＩＤ情報、カード決済をおこなった日付（あるいは日時）、商品区分、取扱区分、処理通番、カードの有効期限、承認番号、カード決済の合計金額、などを示す情報を含んでいる。決済履歴情報は、カード決済をおこなった店舗の識別情報を含んでいてもよい。利用履歴管理サーバ１２０は、決済履歴情報を、カードのＩＤ情報に関連付けして格納する決済履歴情報データベースを備えている。
【００３３】
決済履歴管理サーバ１３０には、カード決済の実行が可能な店舗によって管理され、当該店舗においておこなったカード決済の履歴、すなわち店舗別のカードの利用履歴情報を格納する決済履歴情報データベース（図７を参照）が設けられている。決済履歴情報データベースは、一つの店舗についてのカードの利用履歴情報に限らず、チェーン展開している店舗やフランチャイズ経営の店舗などのように同一グループ企業に属する複数店舗についてのカードの利用履歴情報を格納していてもよい。決済履歴管理サーバ１３０は、たとえばパーソナルコンピュータなどのコンピュータ装置（図２を参照）によって実現可能であって、決済履歴情報データベースは決済履歴管理サーバ１３０を実現するコンピュータ装置が備える記憶媒体に記憶されている。
【００３４】
決済履歴管理サーバ１３０を実現するコンピュータ装置には、有線あるいは無線によって、１または複数のカード決済端末１６０が接続されている。決済履歴管理サーバ１３０は、接続されたカード決済端末１６０からカード決済情報を取得する。カード決済端末１６０は、たとえばカード決済端末１６０においてカード決済がおこなわれるごとに、決済履歴管理サーバ１３０に対してカード決済情報を送信する。
【００３５】
決済履歴管理サーバ１３０は、たとえばカード決済端末１６０から送信されたカード決済情報を、決済履歴情報データベースに格納する。また、決済履歴管理サーバ１３０は、たとえば定期的にカード決済端末１６０との間で通信をおこない、前回通信をおこなってから今回通信をおこなうまでの間にカード決済端末１６０においておこなわれたカード決済のカード決済情報を取得するようにしてもよい。
【００３６】
カード決済端末１６０は、カード決済をおこなう店舗ごとに、１または複数台ずつ設置される。カード決済端末１６０は、設置型に限るものではなく、可搬性を有するハンディタイプのカード決済端末１６０であってもよい。カード決済端末１６０は、カードに記録された情報を読み取り、読み取った情報を含む決済要求をカード決済処理をおこなう信販会社のサーバコンピュータに送信するとともに、送信した決済要求に対応する決済情報を受信し、伝票（クレジット伝票）を発行する機能を備えている。具体的には、たとえばＣＡＴ端末（Ｃｒｅｄｉｔ  Ａｕｔｈｏｒｉｚａｔｉｏｎ  Ｔｅｒｍｉｎａｌ）やＩＮＦＯＸ端末など、クレジットカードの信用照会端末機によってカード決済端末１６０を実現することができる。ＣＡＴ端末およびＩＮＦＯＸ端末については公知の技術であるため説明を省略する。
【００３７】
（コンピュータ装置のハードウエア構成）
つぎに、コンピュータ装置のハードウエア構成について説明する。図２は、コンピュータ装置のハードウエア構成を示すブロック図である。図２に示したコンピュータ装置は、利用履歴管理サーバ１２０や決済履歴管理サーバ１３０を実現する。
【００３８】
図２において、コンピュータ装置は、ＣＰＵ２０１と、ＲＯＭ２０２と、ＲＡＭ２０３と、ＨＤＤ（ハードディスクドライブ）２０４と、ＨＤ（ハードディスク）２０５と、ＦＤＤ（フレキシブル・ディスクドライブ）２０６と、着脱可能な記録媒体の一例としてのＦＤ（フレキシブル・ディスク）２０７と、ディスプレイ２０８と、Ｋ／Ｂ（キーボード）２０９と、マウス２１０と、スキャナ２１１と、通信Ｉ／Ｆ（インタフェース）２１２と、を備えている。また、各構成部はバス２１４によってそれぞれ接続されている。
【００３９】
ここで、ＣＰＵ２０１は、コンピュータ装置全体の制御を司る。ＲＯＭ２０２は、ブートプログラムなどのプログラムなどを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶している。
【００４０】
たとえば利用履歴管理サーバ１２０を実現するコンピュータ装置である場合、ＨＤ２０５は、カード情報データベース、利用履歴情報データベース、特典情報データベースなどを記憶する。また、たとえば決済履歴管理サーバ１３０を実現するコンピュータ装置である場合、ＨＤ２０５は、決済履歴情報データベースを記憶する。ＨＤ２０５は、カード情報データベース、利用履歴情報データベースおよび特典情報データベース、あるいは決済履歴情報データベースを、更新あるいは追記可能に記憶している。
【００４１】
ＦＤＤ２０６は、ＣＰＵ２０１の制御にしたがってＦＤ２０７に対するデータのリード／ライトを制御する。ＦＤ２０７は、ＦＤＤ２０６の制御で書き込まれたデータを記憶する。着脱可能な記録媒体として、ＦＤ２０７の他、ＣＤ−ＲＯＭ（ＣＤ−ＲＷ）、ＭＯ、ＤＶＤ（Ｄｉｇｉｔａｌ  Ｖｅｒｓａｔｉｌｅ  Ｄｉｓｋ）などであってもよい。ディスプレイ２０８はカーソル、アイコン、ツールボックスをはじめ、文書、画像、機能情報などのデータに関するウインドウ（ブラウザ）を表示し、ＣＲＴ、ＴＦＴ液晶ディスプレイ、プラズマディスプレイなどによって実現することができる。
【００４２】
Ｋ／Ｂ２０９は、文字、数値、各種指示などの入力のためのキーを備え、データ入力をおこなう。マウス２１０は、カーソルの移動や範囲選択、あるいはウインドウの移動やサイズの変更などをおこなう。ポインティングデバイスとして同様の機能を備えるものであれば、マウス２１０に代えてあるいは加えてトラックボール、ジョイスティックなどであってもよい。スキャナ２１１は、画像を光学的に読み取る。
【００４３】
通信Ｉ／Ｆ２１２は、インターネットなどのネットワークを介して、当該ネットワークに通信可能に接続された他のコンピュータ装置との間での通信をおこなう。たとえば利用履歴管理サーバ１２０を実現するコンピュータ装置である場合、通信Ｉ／Ｆ２１２は、決済履歴管理サーバ１３０を実現するコンピュータ装置から送信された決済履歴情報を受信したり、名刺作成装置１１０に対して所有者情報および利用履歴情報を送信したりする。また、たとえば決済履歴管理サーバ１３０を実現するコンピュータ装置である場合、通信Ｉ／Ｆ２１２は、利用履歴管理サーバ１２０を実現するコンピュータ装置に決済履歴情報を送信する。
【００４４】
（名刺作成装置１１０のハードウエア構成）
つぎに、名刺作成装置１１０のハードウエア構成について説明する。図３は、名刺作成装置１１０のハードウエア構成を示すブロック図である。図３において、名刺作成装置１１０は、ＣＰＵ３０１と、ＲＯＭ３０２と、ＲＡＭ３０３と、ディスプレイ３０４と、タッチパネル３０５と、通信Ｉ／Ｆ３０６と、プリンタ３０７と、カードリーダ３０８と、を備えている。また、各構成部はバス３０９によってそれぞれ接続されている。
【００４５】
ＣＰＵ３０１は名刺作成装置１１０全体の制御を司り、ＲＡＭ３０３をワークエリアとしながらＲＯＭ３０２に記憶された各種プログラムを実行する。また、ＲＯＭ３０２は、たとえば利用履歴付き名刺の作成に際して表示する複数の表示画面データや、利用履歴付き名刺の基本デザインを決定する複数のフレーム画像データ、などを記憶している。
【００４６】
表示画面データは、たとえば「初期画面」（図８−１を参照）、「フレーム選択画面」（図８−２を参照）、「印刷内容選択画面」（図８−３を参照）など、操作内容に応じて複数記憶されている。フレーム画像データは、たとえば「ベーシック」タイプ、「かわいい」タイプ、「ＣＯＯＬ」タイプなどのように、タイプが異なる複数種類のフレーム画像データが記憶されている。
【００４７】
ディスプレイ３０４は、たとえばＲＯＭ３０２に記憶された表示画面データに基づいて、「初期画面」、「フレーム選択画面」、「印刷内容選択画面」などの各種表示画面を表示する。ディスプレイ３０４は、具体的には、たとえばＴＦＴ液晶ディスプレイ、プラズマディスプレイ、有機ＥＬディスプレイなど、公知の各種のディスプレイによって実現することができる。
【００４８】
タッチパネル３０５は、ディスプレイ３０４に積層されており、操作された位置に応じた座標信号を出力する。ＣＰＵ３０１は、たとえばディスプレイ３０４における表示内容とタッチパネル３０５において操作された座標位置とに基づいて、表示内容を切り替える。具体的には、たとえばディスプレイ３０４に「初期画面」を表示している状態で、タッチパネル３０５における「名刺を作成する」キーの位置に対する押圧操作があった場合、利用履歴付き名刺を作成するための「フレーム選択画面」を表示する。
【００４９】
名刺作成装置１１０は、タッチパネル３０５に加えて、数値を入力するテンキーを備えていてもよい。また、タッチパネル３０５に代えてあるいは加えて、キーボードを備えていてもよい。テンキーやキーボードは、たとえば名刺作成装置１１０においてディスプレイ３０４とは異なる位置であって、ディスプレイ３０４の近傍に設けるとよい。これによって、ディスプレイ３０４における表示領域を有効に利用した状態で、利用履歴付き名刺の作成に要する情報を入力することができる。
【００５０】
通信Ｉ／Ｆ３０６は、ネットワーク１４０を介して、当該ネットワーク１４０に通信可能に接続された利用履歴管理サーバ１２０を実現するコンピュータ装置との間での通信をおこなう。通信Ｉ／Ｆ３０６は、利用履歴管理サーバ１２０を実現するコンピュータ装置との間で通信をおこなうことによって、名刺印刷要求情報などを送信したり、該当する利用者の所有者情報および利用履歴情報を受信したりする。名刺印刷要求情報については、説明を後述する。
【００５１】
プリンタ３０７は、通信Ｉ／Ｆ３０６を介して受信した所有者情報および利用履歴情報に基づいて決定される印刷内容を所定の用紙に印刷する。印刷内容には、画像データや文書データが含まれている。所定の用紙は、たとえば５５×９１ｍｍのいわゆる名刺サイズの用紙であることが好ましい。所定の用紙は、たとえば５５ｍｍ幅あるいは９１ｍｍ幅の長尺状のロール紙であってもよい。このようなロール紙を用いる場合、プリンタ３０７はロール紙を所定の位置で切断するためのカッタ機構を備えている。プリンタ３０７は、たとえばレーザプリンタ、インクジェットプリンタ、インクリボンプリンタなど、公知の各種のプリンタによって実現することができる。
【００５２】
カードリーダ３０８は、クレジットカードが備える記憶媒体に記憶されたクレジットカード番号を読み取り、読み取ったクレジットカード番号を含む信号をＣＰＵ３０１に出力する。たとえばカードリーダ３０８は、クレジットカードが記憶媒体として備えるＩＣチップに接続される接続端子を備え、当該接続端子を介してＩＣチップに記憶されたクレジットカード番号を読み取る。
【００５３】
また、たとえばカードリーダ３０８は、クレジットカードが記憶媒体として備える磁気テープに記憶されたクレジットカード番号を読み取る磁気ヘッドを備え、当該磁気ヘッドの読取位置を磁気タイプのクレジットカードが通過する際に、クレジットカードの磁気テープに記憶されたクレジットカード番号を読み取るようにしてもよい。上記の通信部１１２は、カードリーダ３０８が非接触式ＩＣカードタイプのクレジットカードを読み取り対象とする場合に用いられる。
【００５４】
（カード情報データベースの一例）
つぎに、カード情報データベースの一例について説明する。図４は、カード情報データベースの一例を示す説明図である。図４において、カード情報データベース４００は、カードの所有者１５０の氏名情報、性別情報、生年月日情報、住所情報や電話番号情報などの連絡先情報、ニックネーム情報、などの所有者情報を格納している。ここで、ニックネーム情報は、所有者情報によって特定され、所有者などによって任意に設定可能な情報であって、所定の文字や記号を所定数以下用いて構成されている。
【００５５】
また、所有者情報は、当該所有者の顔写真、任意の記号やマークなどの画像データを含んでいてもよい。画像データは、所有者によって記憶場所が指定された添付ファイルとしてもよい。カード情報データベース４００において、所有者情報は、当該所有者情報によって特定される所有者が所有するカードのＩＤ情報であるクレジットカード番号に関連付けして格納されている。
【００５６】
（利用履歴情報データベースの一例）
つぎに、利用履歴情報データベースの一例について説明する。図５は、利用履歴情報データベースの一例を示す説明図である。図５において、利用履歴情報データベース５００は、発行元情報、決済日付情報、商品区分情報、処理通番情報、取り扱い区分情報、承認番号情報、合計金額情報、などの利用履歴情報を格納している。また、利用履歴情報データベース５００は、商品／サービス名情報、決済頻度情報、利用場所情報などを格納していてもよい。
【００５７】
発行元情報は、カード決済に用いたクレジットカードの発行元を特定可能な情報であって、たとえばクレジット会社を識別する識別情報によってあらわすことができる。決済日付情報は、カード決済をおこなった日付を特定可能な情報であり、日付に加えて、年や時刻を示す情報を含んでいてもよい。合計金額情報は、１回のカード決済における合計金額を特定可能な情報とすることができ、たとえば合計金額を示す数値情報によってあらわすことができる。
【００５８】
商品／サービス名情報は、利用（購入）した商品名やサービス名を示す情報であって、商品名やサービス名を直接的に示す情報であってもよいし、たとえば商品に付けられたＪＡＮコードなどのように間接的に示す情報であってもよい。決済頻度情報は、商品やサービスをカード決済によって利用（購入）した頻度をあらわす情報であって、たとえば商品やサービスの過去の利用回数や所定期間内における利用回数によってあらわすことができる。
【００５９】
利用場所情報は、カード決済によって利用（購入）した商品やサービスの利用場所を示す情報であって、店舗名、住所、地図上の座標位置などによってあらわすことができる。利用場所情報は、たとえば店舗側が店舗の宣伝のためにあらかじめ準備した、該当する店舗の位置を案内する簡易的な地図の画像データを含んでいてもよい。利用履歴情報データベース５００において、利用履歴情報は、カードのＩＤ情報であるクレジットカード番号に関連付けして格納されている。
【００６０】
商品区分情報および取り扱い区分情報は、カード決済した商品が、所定の基準にしたがって複数に分けた区分のいずれの区分に該当するかを示す情報であり、処理通番情報はカード決済がおこなわれた順番を通し番号で示している。承認番号情報はカード決済時にクレジット会社に送られた決済要求をクレジット会社が承認したときにふられる番号を示している。利用履歴情報データベース５００においては、１回のカード決済における決済履歴情報を、互いに関連付けて格納している。
【００６１】
（特典情報データベースの一例）
つぎに、特典情報データベースの一例について説明する。図６は、特典情報データベースの一例を示す説明図である。図６において、特典情報データベース６００は、特典情報を格納している。特典情報は、たとえば「○×ラーメン１杯無料」、「高級ホテル宿泊チケット抽選応募資格」などの特典の名称や内容を示す特典案内情報と、「来店数５回以上」、「１０，０００ポイントと引き替え」などの特典利用条件情報と、を含んでいる。特典案内情報と特典利用条件情報とは互いに関連付けされている。特典情報データベース６００において、特典情報は、カードのＩＤ情報であるクレジットカード番号に関連付けして格納されている。
【００６２】
（決済履歴情報データベースの一例）
つぎに、決済履歴情報データベースの一例について説明する。図７は、決済履歴情報データベースの一例を示す説明図である。図７において、決済履歴情報データベース７００は、決済日付情報、商品区分情報、処理通番情報、取扱区分情報、有効期限情報、承認番号情報、合計金額情報、などの決済履歴情報を格納している。商品区分情報および取扱区分情報は、カード決済した商品が、所定の基準にしたがって複数に分けた区分のいずれの区分に該当するかを示す情報であり、処理通番情報はカード決済がおこなわれた順番を通し番号で示している。
【００６３】
有効期限情報はクレジットカードがいつまで利用できるのかを示しており、承認番号情報はカード決済時にクレジット会社に送られた決済要求をクレジット会社が承認したときにふられる番号を示している。決済履歴情報データベース７００においては、１回のカード決済における決済履歴情報を、互いに関連付けて格納している。
【００６４】
（名刺作成装置１１０の表示画面例）
つぎに、名刺作成装置１１０の表示画面例について説明する。図８−１、図８−２、図８−３、図８−４および図８−５は、名刺作成装置１１０の表示画面例を示す説明図である。図８−１、図８−２、図８−３において、名刺作成装置１１０は、ディスプレイにおける表示内容とタッチパネルに対する操作タイミングとにしたがって、ディスプレイに各種の表示画面を表示する。
【００６５】
たとえば、表示画面８１０は、名刺作成装置１１０が待機状態にある場合に表示される、いわゆる初期画面を示している。表示画面８１０には、利用履歴付き名刺を発行させる際に利用者によって操作される「名刺を作成する」キー８１１が表示されている。名刺作成装置１１０は、表示画面８１０を表示している状態で、タッチパネル３０５の「名刺を作成する」キー８１１の位置に相当する位置に対する操作があった場合は、利用履歴付き名刺を作成するための表示画面８２０を表示する。
【００６６】
表示画面８１０には、現在発行可能な利用履歴付き名刺の枚数を表示させる際に利用者によって操作される「発行可能枚数を見る」キー８１２が表示されている。名刺作成装置１１０は、表示画面８１０を表示している状態で、タッチパネル３０５の「発行可能枚数を見る」キー８１２の位置に相当する位置に対する操作があった場合、カードに関連付けられているポイント数に基づいて現在発行可能な利用履歴付き名刺の枚数を算出し、算出結果を案内する、図示を省略する表示画面を表示する。
【００６７】
表示画面８２０は、表示画面８１０を表示している状態で、タッチパネル３０５の「名刺を作成する」キー８１１の位置に相当する位置に対する操作があった場合に表示される、いわゆるフレーム選択画面を示している。表示画面８２０には、選択可能なフレームイメージ８２１、８２２、８２３が、複数種類（図８−２においては３種類）表示されている。図８−２においては、「ベーシック」タイプのフレームイメージ８２１、「かわいい」タイプのフレームイメージ８２２、「ＣＯＯＬ」タイプのフレームイメージ８２３が表示されている。
【００６８】
表示画面８２０が表示されている状態で、タッチパネル３０５においていずれか１つのフレームイメージ８２１、８２２あるいは８２３の位置に相当する位置に対する押圧操作をおこなう（タッチパネル３０５に触れる）と、利用履歴付き名刺の利用シーンなどにあわせた任意のフレームイメージを選択することができる。図８−２においては、「ベーシック」タイプのフレームイメージ８２１、「かわいい」タイプのフレームイメージ８２２、「ＣＯＯＬ」タイプのフレームイメージ８２３のうち「ベーシック」タイプのフレームイメージ８２１が選択された状態を示している。
【００６９】
表示画面８２０においては、発行可能枚数を表示する表示欄や、現在表示中の表示画面８２０をつぎの表示画面８３０あるいは前の表示画面８１０に切り替える際に操作されるページ切り替えキー８２４が表示されている。名刺作成装置１１０は、表示画面８２０にかかわらず、すべての表示画面においてページ切り替えキー８２４が操作された場合、利用履歴付き名刺の発行手順において現在表示中の表示画面のつぎに表示予定の表示画面、あるいは、直前の表示画面を表示する。
【００７０】
また、表示画面８２０には、「もどる」キー８２５が表示されている。名刺作成装置１１０は、「もどる」キー８２５が操作された場合、初期画面である表示画面８１０を表示する。名刺作成装置１１０は、いずれの表示画面を表示している状態であっても、「もどる」キー８２５が操作された場合には、表示画面８１０を表示する。
【００７１】
表示画面８３０は、表示画面８２０を表示している状態で、タッチパネル３０５の「ベーシック」タイプのフレームイメージ８２１が選択された場合に表示される、いわゆる印刷内容選択画面を示している。表示画面８３０においては、印刷内容としてその具体的な内容を選択可能な項目が表示されている。具体的には、表示画面８３０においては、具体的な内容を選択可能な項目として「お気に入りのジャンル」欄８３１および「お気に入りのお店」欄８３２が表示されている。
【００７２】
「お気に入りのジャンル」欄８３１は、複数項目の中からいずれか１つの項目を選択することが可能とされている。具体的には、たとえば「趣味」、「たべもの屋さん」、「性格」などの各ジャンルの中から１つのジャンルを、利用者に選択させる。表示画面８４０においては、「趣味」、「たべもの屋さん」、「性格」の中の「たべもの屋さん」が選択された状態を示している。
【００７３】
「お気に入りのお店」欄８３２には、「お気に入りのジャンル」欄８３１における各ジャンルに対応した内容が表示され、具体的には「お気に入りのジャンル」欄８３１の中から１つのジャンルが選択されると選択されたジャンルに該当する店舗の一覧が表示される。具体的に、表示画面８３０においては、「お気に入りのジャンル」欄８３１の中から「たべもの屋さん」が選択され、利用者が過去に利用し、代金をカード決済で支払った飲食店の一覧が「お気に入りのお店」欄８３２に表示された状態が示されている。
【００７４】
表示画面８４０は、表示画面８３０を表示している状態で、タッチパネル３０５の「お気に入りのお店」欄８３２に相当する位置が操作された場合に表示される、いわゆる店舗選択画面を示している。表示画面８４０においては、利用履歴付き名刺に印刷する店舗の候補の一覧８４１が表示されている。利用者は、表示された一覧８４１の中から、利用履歴付き名刺に印刷する店舗を選択する。表示画面８４０におけるマーク８４２は、店舗の選択をガイドし、選択可能な店舗数の最大数を案内している。たとえば図８−４においては、利用回数が多い上位４つの店舗に関する情報の表示が可能であることを示している。
【００７５】
「お気に入り度」欄８４３には、一覧８４１に存在する各店舗に対して、カードの所有者が感じている好感度、いわゆるお気に入り度合いを調整する調整キー８４４が表示されている。調整キー８４４は、カードの所有者が、店舗に対する好感度をさらに高く表現したい場合に操作する「＋（プラス）」キーと、店舗に対する好感度を現状より低く表現したい場合に操作する「−（マイナス）」キーと、から構成されている。所有者は、表示画面８４０を表示させた状態で、適宜調整キー８４４を操作することによって各店舗に対する好感度を調整することができる。
【００７６】
「秘密にする」欄８４５は、チェックの有無に応じて、利用回数が多い場合にも表示しないように指定するための欄であって、カードの所有者は、たとえば「この店はおいしいからよく利用するけれど、秘密にしておきたい」などと思う店舗にチェックを入れる。「秘密にする」欄８４５においては、店舗ごとにチェックボックスが表示されており、各チェックボックスをタッチすることによりチェック有りの状態とチェック無しの状態とを交互に切り替えることができる。
【００７７】
表示画面８４０において、「決定」キー８４６は、表示画面８４０において設定した内容を決定する場合に操作される。名刺作成装置１１０は、表示画面８４０における表示内容をＲＡＭ３０３などに設けられた所定の記憶領域に一時的に記憶しており、「決定」キー８４６が操作された場合は「決定」キー８４６が操作された時点において所定の記憶領域に記憶されている内容を印刷内容として、所定の記憶領域に記憶されている内容を最終的な印刷内容として、それまでに記憶されていた印刷内容を更新する。
【００７８】
表示画面８５０はニックネーム入力画面であって、カードの所有者は表示画面８５０におけるニックネーム入力欄８５１に、利用履歴付き名刺に印刷したい自分のニックネームを入力する。図示を省略するが、表示画面８５０が表示されている状態でニックネーム入力欄を選択すると、表示画面８５０におけるニックネーム入力欄８５１以外の領域に、キーボード画像がポップアップ表示される。カードの所有者は、ポップアップ表示されたキーボードを操作することによって、任意のニックネームを入力することができる。
【００７９】
表示画面８５０には、利用履歴付き名刺の印刷枚数を指定する枚数指定欄８５２が表示されている。枚数指定欄８５２を選択すると、表示画面における枚数指定欄以外の領域に、図示を省略するテンキー画像がポップアップ表示される。利用者は、ポップアップ表示されたテンキーを操作することによって印刷枚数を指定することができる。
【００８０】
指定できる印刷枚数の上限は、たとえばカードの所有者によるカードの利用履歴によって決定するとよい。具体的には、たとえば過去の利用金額が高い利用者であれば１００枚を上限として１〜１００までの任意の数値の入力を可能とし、過去の利用金額が格別多くない利用者であれば３０枚を上限として１〜３０までの任意の数値の入力を可能とし、３１以上の枚数は指定できないようにしてもよい。
【００８１】
また、表示画面８５０においては、選択および入力した印刷内容を確定し、確定した印刷内容での利用履歴付き名刺の印刷を指示する「発行！」キー８５３が表示されている。利用者は、入力した各種の情報に異存がない場合に、「発行！」キー８５３を操作する。
【００８２】
（利用履歴付き名刺の例）
つぎに、利用履歴付き名刺の例について説明する。図９−１および図９−２は、利用履歴付き名刺の例を示す説明図である。図９−１において、利用履歴付き名刺９１０は、名刺サイズの所定の用紙９１１に、カードの所有者１５０の氏名情報９１２と、所有者が高い好感度をもっている上位３店舗の情報９１３と、が印刷されて構成されている。上位３店舗の情報９１３は、ランキング形式で、カードの所有者が高い好感度をもっている順に印刷されている。
【００８３】
上位３店舗の情報９１３は、表示画面８４０の「秘密にする」欄８４５にチェックがある店舗（図８−４における「餃子の銀将」）は除外された店舗の情報とされている。これによって、カードの所有者１５０が高い頻度で来店し、カード決済をおこなった店舗であっても、利用履歴付き名刺９１０には印刷されず、当該カードの所有者１５０の意向によって秘匿することができる。
【００８４】
図９−２において、利用履歴付き名刺９２０には、限定した地区内において利用回数が多い店舗の情報９２１が、ランキング形式で印刷されている。利用履歴付き名刺９２０においては、限定した地区を示す地図９２２が印刷されている。これにより、どの地区におけるランキングを示しているかを分かり易く伝えることができる。利用履歴付き名刺９２０は、表示画面８２０における「ＣＯＯＬ」タイプのフレームイメージ８２３にしたがって決定した印刷内容にしたがって印刷されている。
【００８５】
（名刺作成装置１１０の機能的構成）
つぎに、名刺作成装置１１０の機能的構成について説明する。図１０は、名刺作成装置１１０の機能的構成を示すブロック図である。図１０において、名刺作成装置１１０は、カード情報データベース４００と、利用履歴情報データベース５００と、特典情報データベース６００と、名刺印刷要求情報入力部１００１と、抽出部１００２と、印刷内容決定部１００３と、表示部１００４と、編集指示入力部１００５と、変更部１００６と、印刷部１００７と、を備えている。
【００８６】
名刺印刷要求情報入力部１００１は、カードのＩＤ情報を含む名刺印刷要求情報の入力を受け付ける。名刺印刷要求情報は、名刺作成装置１１０に対して、利用履歴付き名刺を作成するプログラムを起動させる情報であって、クレジットカード番号の入力および表示画面８１０における「名刺を作成する」キー８１１の操作があった場合に入力される。
【００８７】
クレジットカード番号は、たとえばクレジットカードのＩＣチップあるいは磁気テープなどに記憶されており、これらのＩＣチップあるいは磁気テープから読み取ることによって入力することができる。この実施の形態においては、具体的には、たとえばカードリーダ３０８からの出力信号と、ディスプレイ３０４における表示内容およびタッチパネル３０５からの信号と、に基づいて、ＲＯＭ３０２に記憶されたプログラムを、ＲＡＭ３０３をワークエリアとしながらＣＰＵ３０１によって実行することによって名刺印刷要求情報入力部１００１としての機能を実現することができる。
【００８８】
抽出部１００２は、名刺印刷要求情報入力部１００１によって入力された名刺印刷要求情報に基づいて、当該名刺印刷要求情報に含まれるカードのＩＤ情報に関連付けられた所有者情報を、カード情報データベース４００から抽出する。また、抽出部１００２は、名刺印刷要求情報に含まれるカードのＩＤ情報に関連付けられた利用履歴情報を、利用履歴情報データベース５００から抽出する。
【００８９】
また、抽出部１００２は、名刺印刷要求情報入力部１００１によって入力された名刺印刷要求情報に基づいて、当該名刺印刷要求情報に含まれるカードのＩＤ情報に関連付けられた特典情報を、特典情報データベース６００から抽出する。抽出部１００２は、該当する特典情報が特典情報データベース６００に格納されている場合に、当該特典情報を抽出する。この実施の形態においては、具体的には、たとえばＲＯＭ３０２に記憶されたプログラムを、ＲＡＭ３０３をワークエリアとしながらＣＰＵ３０１によって実行することによって抽出部１００２としての機能を実現することができる。
【００９０】
カード情報データベース４００、利用履歴情報データベース５００および特典情報データベース６００は、名刺作成装置１１０を実現するコンピュータ装置が備えるＨＤなどのように、名刺作成装置１１０が一体で備える記憶装置によって実現するものに限らない。カード情報データベース４００、利用履歴情報データベース５００および特典情報データベース６００のすべてあるいはいずれかは、たとえば名刺作成装置１１０を実現するコンピュータ装置に、ネットワークによって接続された記憶装置に記憶されていてもよい。
【００９１】
印刷内容決定部１００３は、抽出部１００２によって抽出された所有者情報および利用履歴情報に基づいて、所定のサイズの用紙に印刷する印刷内容を決定する。印刷内容決定部１００３は、たとえば抽出された所有者情報および利用履歴情報を用紙に印刷した場合の用紙に対する情報量に基づいて印刷内容を決定する。具体的には、たとえば選択されたジャンルに該当する、過去に利用した店舗数が多い場合には、利用回数が多い上位４店舗のみを印刷する印刷内容を決定する。また、利用回数が多い店舗であっても表示画面８４０において「秘密にする」欄８４５にチェックが入った店舗であれば、印刷内容から除外する。これによって、たとえば図８−４における「餃子の銀将」が除外された、利用回数が多い上位４店舗の情報が印刷内容として決定される。
【００９２】
また、印刷内容決定部１００３は、さらに抽出部１００２によって抽出された特典情報に基づいて、所定のサイズの用紙に印刷する印刷内容を決定する。具体的には、たとえば基本的には来店数の多い上位４店舗を抽出する状況下で、抽出した上位３店舗の中に「来店数５回以上でラーメン一杯無料」という特典情報に該当する店舗がある場合は、利用回数が多い上位３店舗と、特典情報と、を含んだ印刷内容を決定する。また、印刷内容決定部１００３は、抽出された特典情報の数によっては特典情報のみを印刷する印刷内容を決定してもよい。この実施の形態においては、具体的には、たとえばＲＯＭ３０２に記憶されたプログラムを、ＲＡＭ３０３をワークエリアとしながらＣＰＵ３０１によって実行することによって印刷内容決定部１００３としての機能を実現することができる。
【００９３】
表示部１００４は、印刷内容決定部１００３によって決定された印刷内容を表示する。表示部１００４は、たとえば印刷内容決定部１００３によって決定された印刷内容を印刷するレイアウト通りに配置した、できあがり見本を表示するとよい。また、表示部１００４は、印刷内容決定部１００３によって決定された印刷内容を一覧表示してもよい。この実施の形態において、表示部１００４は、具体的には、たとえばディスプレイ３０４によってその機能を実現することができる。
【００９４】
編集指示入力部１００５は、表示部１００４によって表示された印刷内容の編集指示の入力を受け付ける。たとえば、表示部１００４において印刷内容の編集指示の入力を受け付ける表示画面を表示している際に、タッチパネルによって所定の箇所が操作された場合に印刷内容の編集指示の入力を受け付ける。具体的には、たとえば表示画面８４０の表示中に、該当する店舗の「秘密にする」欄８４５にチェックが入れられた場合に、印刷内容の編集指示の入力を受け付ける。この実施の形態においては、具体的には、たとえばディスプレイ３０４における表示内容およびタッチパネル３０５からの信号に基づいて、ＲＯＭ３０２に記憶されたプログラムを、ＲＡＭ３０３をワークエリアとしながらＣＰＵ３０１によって実行することによって編集指示入力部１００５としての機能を実現することができる。
【００９５】
変更部１００６は、編集指示入力部１００５によって入力された編集指示に基づいて、印刷内容を変更する。具体的には、たとえば表示画面８４０の表示中に、該当する店舗の「秘密にする」欄８４５にチェックが入れられた場合に、チェックが入れられた特定の店舗情報を印刷内容から除外することによって印刷内容を変更する。この実施の形態においては、具体的には、たとえばＲＯＭ３０２に記憶されたプログラムを、ＲＡＭ３０３をワークエリアとしながらＣＰＵ３０１によって実行することによって変更部１００６としての機能を実現することができる。
【００９６】
印刷部１００７は、印刷内容決定部１００３によって決定された印刷内容を用紙に所定枚数印刷する。印刷部１００７は、変更部１００６によって印刷内容が変更された場合、印刷部１００７は、変更された印刷内容を用紙に所定枚数印刷する。所定枚数は、枚数指定欄８５２に入力された印刷枚数とするとよい。「発行！」キー８５３が操作されるまでに、枚数指定欄８５２における枚数の入力がなかった場合は、たとえば３枚のように、デフォルトとして設定された枚数を印刷する。デフォルトの枚数は、カードの利用状況によって変更してもよい。たとえば、カード決済の回数が多い、あるいはカード決済の金額が所定金額以上である、などの場合には５枚、１０枚、などのように、デフォルトの印刷枚数を増やすようにしてもよい。
【００９７】
印刷部１００７は、印刷内容決定部１００３によって決定された印刷内容あるいは変更部１００６によって変更された印刷内容に含まれる各情報を、利用者によって選択されたフレームイメージにおける該当箇所にそれぞれ当て嵌めることによって印刷用の画像データを生成し、生成した印刷用の画像データをＶＲＡＭなどに展開し、展開した画像データに基づいてプリンタが備える各部を駆動制御することによって印刷をおこなう。この実施の形態においては、具体的には、たとえばプリンタ３０７によって印刷部１００７を実現することができる。
【００９８】
（名刺作成装置の処理手順）
つぎに、名刺作成装置の処理手順について説明する。図１１は、名刺作成装置の処理手順を示すフローチャートである。図１１のフローチャートにおいて、まず、「名刺を作成する」キー８１１が操作されるまで待って（ステップＳ１１０１：Ｎｏ）、操作された場合（ステップＳ１１０１：Ｙｅｓ）は、「名刺を作成する」キー８１１が操作された時点から所定時間前の間、あるいは「名刺を作成する」キー８１１の操作後に、クレジットカード番号を取得したか否かを判断する（ステップＳ１１０２）。ステップＳ１１０２においては、たとえばカードリーダ３０８によるクレジットカードの読み取りがあったか否かを判断する。
【００９９】
ステップＳ１１０２において、クレジットカード番号を取得していない場合（ステップＳ１１０２：Ｎｏ）、すなわち「名刺を作成する」キー８１１が操作される前にカードリーダ３０８によるクレジットカードの読み取りがない場合は、ディスプレイ３０４にクレジットカードの読み取りを促す表示画面を表示してクレジットカード挿入を案内する（ステップＳ１１０３）。そして、ステップＳ１１０２へ戻り、クレジットカード番号を取得したか否かを判断する。この実施の形態においては、「名刺を作成する」キー８１１の操作およびクレジットカード番号の取得をもって名刺印刷要求情報が入力され、名刺印刷要求情報入力部１００１を実現することができる。
【０１００】
ステップＳ１１０２において、クレジットカード番号を取得したと判断した場合（ステップＳ１１０２：Ｙｅｓ）は、取得したクレジットカード番号に基づいて、所有者情報を取得し（ステップＳ１１０４）、利用履歴情報を取得し（ステップＳ１１０５）、特典情報を取得する（ステップＳ１１０６）。ステップＳ１１０４、ステップＳ１１０５およびステップＳ１１０６においては、利用履歴管理サーバ１２０にアクセスし、利用履歴管理サーバ１２０が備える該当するデータベースから、取得したクレジットカード番号に関連付けされている情報をそれぞれ取得する。
【０１０１】
ステップＳ１１０４、ステップＳ１１０５およびステップＳ１１０６の各処理は、上記の順番でおこなうものに限らない。たとえば、利用履歴情報を取得してから特典情報を取得し、所有者情報を取得してもよい。また、たとえば特典情報を取得し、利用履歴情報を取得してから所有者情報を取得してもよい。あるいは、たとえば利用履歴情報を取得してから所有者情報を取得し、その後特典情報を取得してもよい。
【０１０２】
つぎに、ステップＳ１１０４、ステップＳ１１０５およびステップＳ１１０６において取得した各情報に基づいて、印刷内容を決定し（ステップＳ１１０７）、決定した印刷内容をディスプレイ３０４に表示する（ステップＳ１１０８）。ステップＳ１１０７においては、ステップＳ１１０４、ステップＳ１１０５およびステップＳ１１０６において取得した各情報を、選択されたフレームイメージにしたがって配置した、デフォルトとしての印刷内容を決定する。ステップＳ１１０７の処理は、たとえば印刷内容決定部１００３によって実現することができる。
【０１０３】
そして、ステップＳ１１０８において表示した印刷内容に対して編集指示の入力があったか否かを判断し（ステップＳ１１０９）、編集指示の入力がない場合（ステップＳ１１０９：Ｎｏ）はステップＳ１１１１へ移行する。編集指示の入力があった場合（ステップＳ１１０９：Ｙｅｓ）は、入力内容にしたがって印刷内容を変更する（ステップＳ１１１０）。ステップＳ１１１０の処理は、たとえば変更部１００６によって実現することができる。ステップＳ１１０９における編集指示の入力の有無は、たとえば編集指示入力部１００５において編集指示の入力を受け付けたか否かを判断することによって実現することができる。
【０１０４】
その後、「発行！」キー８５３が操作されたか否かを判断し（ステップＳ１１１１）、
操作されていない場合（ステップＳ１１１１：Ｎｏ）は、ステップＳ１１０９へ戻る。一方、「発行！」キー８５３が操作された場合（ステップＳ１１１１：Ｙｅｓ）は、プリンタ３０７を駆動して印刷をおこない（ステップＳ１１１２）、一連の処理を終了する。ステップＳ１１１２の処理は、たとえば印刷部１００７によって実現することができる。
【０１０５】
以上説明したように、この実施の形態の名刺作成装置１１０によれば、一意に定められたカードのＩＤ情報の一例としてのクレジットカード番号と、当該カードの所有者に関する所有者情報とを関連付けして格納するカード情報データベース４００と、クレジットカード番号とクレジットカードの利用履歴情報とを関連付けして格納する利用履歴情報データベース５００にネットワークによって接続され、クレジットカード番号を含む名刺印刷要求情報の入力を受け付けた場合には、入力されたクレジットカード番号に関連付けられた所有者情報をカード情報データベース４００から抽出するとともに、クレジットカード番号に関連付けられた利用履歴情報を利用履歴情報データベース５００から抽出し、抽出された所有者情報および利用履歴情報に基づいて、所定のサイズの用紙に印刷する印刷内容を決定し、決定された印刷内容を用紙に所定枚数印刷することを特徴とするため、名刺印刷要求情報の入力があった場合には、所有者および当該所有者のカードの利用履歴などの情報が印刷された利用履歴付き名刺を、所定枚数発行することができる。
【０１０６】
また、この実施の形態の名刺作成装置１１０によれば、さらに、クレジットカード番号と、クレジットカードの所有者に対する特典情報とを関連付けして格納する特典情報データベース６００とネットワークで接続され、入力された名刺印刷要求情報に含まれるクレジットカード番号に関連付けられた特典情報を特典情報データベース６００から抽出し、さらに抽出された特典情報に基づいて、所定のサイズの用紙に印刷する印刷内容を決定することを特徴とするため、名刺印刷要求情報の入力があった場合には、所有者および当該所有者のカードの利用履歴などの情報に加えて、カードの所有者に対する特典情報が印刷された利用履歴付き名刺を、所定枚数発行することができる。
【０１０７】
また、この実施の形態の名刺作成装置１１０によれば、決定された印刷内容を表示し、表示された印刷内容の編集指示の入力を受け付け、入力された編集指示に基づいて印刷内容を変更するようにし、変更された印刷内容を用紙に所定枚数印刷することを特徴とするため、名刺作成装置１１０が決定した印刷内容を、クレジットカードの所有者などの名刺作成装置１１０の操作者の任意の印刷内容に変更し、変更した印刷内容が印刷された利用履歴付き名刺を所定枚数発行することができる。
【０１０８】
このように、カードを利用することによって名刺の発行が可能となるため、利用履歴付き名刺を発行するために支払いの方法としてカード決済を選択する動機付けをカードの所有者に対して提供し、カードの利用促進を図ることができるという効果を奏する。
【０１０９】
カードの所有者が利用する店舗はカードの所有者の趣味趣向を反映する傾向にあり、したがってカードの利用履歴はカードの所有者の趣味趣向を反映する傾向にある。この実施の形態の名刺作成装置１１０によれば、カードの利用履歴を印刷することによって、実際の行動に即した所有者の趣味趣向を可視化することができる。可視化することによって所有者の趣味趣向を第三者に伝達し易くなり、所有者は自己をアピールすることができる新たなコミュニケーションツールとして印刷物を利用することができる。
【０１１０】
利用履歴付き名刺は、たとえばクレジットカードの所有者が自己紹介をおこなう場合に用いるなど、コミュニケーションのツールの１つとして利用することができる。具体的には、たとえば所定人数の男女があつまって交流を深める、いわゆる合同コンパにおける自己紹介のツールとして活用することができる。たとえば合同コンパにおいて利用履歴付き名刺を配りながら自己紹介をすることによって、カード所有者を相手に印象づけ、効果的な自己アピールをおこなわせることができる。
【０１１１】
そして、店舗名など店舗の情報が印刷された利用履歴付き名刺が配布されることによって、カード決済をおこなう店舗は、カードの所有者を介して店舗の宣伝をおこなうことができる。利用履歴付き名刺を介しての宣伝は、カード利用者が店舗を利用したという実際の行為に基づいておこなわれるため、たとえば利用回数の多い順に店舗の情報を印刷することによって各店舗に対する高評価について信憑性を高めることができる。すなわち、店舗側は、店舗を利用して貰うことによって、店舗の利用者（カード決済をおこなったカードの所有者）を介して、信憑性の高い確実な宣伝をおこなうことができる。
【０１１２】
上述した実施の形態においては、クレジットカードの利用にかかる利用履歴情報を印刷した利用履歴付き名刺を発行したが、たとえばクレジットカードに代えて、決済金額に応じて発行されるポイントを記憶可能なポイントカードによって実現してもよい。この場合、ポイントカードは、当該ポイントカードのＩＤ情報を記憶していればよく、ポイントそのものを記憶していなくてもよい。
【産業上の利用可能性】
【０１１３】
以上のように、この発明にかかる名刺作成装置、名刺作成方法および名刺作成プログラムは、決済に際して用いたカードの所有者に対してサービスを提供する場合に有用であり、特に、クレジットカードの利用者に提供するサービスとして、クレジットカードの利用履歴情報を含む名刺を作成する名刺作成装置、名刺作成方法および名刺作成プログラムに適している。
【図面の簡単な説明】
【０１１４】
【図１−１】この発明にかかる実施の形態の名刺作成システムを示す説明図（その１）である。
【図１−２】この発明にかかる実施の形態の名刺作成システムを示す説明図（その２）である。
【図２】コンピュータ装置のハードウエア構成を示すブロック図である。
【図３】名刺作成装置のハードウエア構成を示すブロック図である。
【図４】カード情報データベースの一例を示す説明図である。
【図５】利用履歴情報データベースの一例を示す説明図である。
【図６】特典情報データベースの一例を示す説明図である。
【図７】決済履歴情報データベースの一例を示す説明図である。
【図８−１】名刺作成装置の表示画面例を示す説明図（その１）である。
【図８−２】名刺作成装置の表示画面例を示す説明図（その２）である。
【図８−３】名刺作成装置の表示画面例を示す説明図（その３）である。
【図８−４】名刺作成装置の表示画面例を示す説明図（その４）である。
【図８−５】名刺作成装置の表示画面例を示す説明図（その５）である。
【図９−１】利用履歴付き名刺の例を示す説明図（その１）である。
【図９−２】利用履歴付き名刺の例を示す説明図（その２）である。
【図１０】名刺作成装置の機能的構成を示すブロック図である。
【図１１】名刺作成装置の処理手順を示すフローチャートである。
【符号の説明】
【０１１５】
１１０  名刺作成装置
４００  カード情報データベース
５００  利用履歴情報データベース
６００  特典情報データベース
１００１  名刺印刷要求情報入力部
１００２  抽出部
１００３  印刷内容決定部
１００４  表示部
１００５  編集指示入力部
１００６  変更部
１００７  印刷部
【図１−１】
2010033140.tif 000003
【図１−２】
2010033140.tif 000004
【図２】
2010033140.tif 000005
【図３】
2010033140.tif 000006
【図４】
2010033140.tif 000007
【図５】
2010033140.tif 000008
【図６】
2010033140.tif 000009
【図７】
2010033140.tif 000010
【図８−１】
2010033140.tif 000011
【図８−２】
2010033140.tif 000012
【図８−３】
2010033140.tif 000013
【図８−４】
2010033140.tif 000014
【図８−５】
2010033140.tif 000015
【図９−１】
2010033140.tif 000016
【図９−２】
2010033140.tif 000017
【図１０】
2010033140.tif 000018
【図１１】
2010033140.tif 000019